(57)【特許請求の範囲】
【請求項１】
印面加工装置により印字体のセットから印面の加工までの一連の工程を行うようにした印字体の印面の加工方法であって、
印面加工装置の記憶装置に書き込まれているメモリ情報を印面加工装置に接続した端末装置に転送するメモリ情報読み込み工程と、
前記印面加工装置内において、前記印字体に予め設けておいた偽造防止用の識別部の真偽の判別を行い、該判別の結果として真信号または偽信号のいずれかを出力するセキュリティチェック工程と、
前記偽信号を前記印面加工装置に接続した端末装置に入力し、端末装置内においてその偽信号の回数の累積値が閾値に達したか否かの判定を行い、累積値が閾値に達した場合は印面加工装置の稼働を停止するように指示し、閾値未満の場合は最終のメモリ情報を印面加工装置の記憶装置に書き込むとともに印面の加工を行うように指示する基準回数の判定工程と、
を設けたことを特徴とする印面の加工方法。
【請求項２】
閾値を２以上に設定した請求項１に記載の印面の加工方法。
【請求項３】
印面加工装置に対して複数台の端末装置を接続した請求項１または２に記載の印面の加工方法。
【請求項４】
識別部は、近赤外線又は赤外線インキを塗布して形成されており、前記近赤外線又は赤外線インキの有無によって識別部の真偽を判別するようにした請求項１から３のいずれかに記載の印面の加工方法。
【発明の詳細な説明】
【技術分野】
【０００１】
本発明は、偽造パーツの使用の防止を図ることができる印面の加工方法に関するものである。
【背景技術】
【０００２】
従来から、多孔質印面の加工方法としてサーマルヘッド式の印面加工装置を用いたものが公知である。また、本件特許出願人はサーマルヘッド式の印面加工装置を利用し、かつデータ処理を行うことにより高精度に印面を製作する方法を開発し、先に特許出願している（特許文献１を参照）。
【０００３】
一方、本件特許出願人は消費者が印判キットを購入後、印面の文字情報等を端末装置に入力し前記印面加工装置に印字体をセットしたのち、前記印面加工装置に送信した印面加工データに基づいてサーマルヘッドにより印面を作製し、これをキットの本体部に組み付ければ消費者自身が簡単にスタンプを完成させることができるという新しいスタンプの供給形態の構築を図っている。
【０００４】
しかしながら、前記印判キットの偽物が出回るおそれもあり、低品質で安価な偽造パーツが使用されると製品イメージの低下を発生して、売り上げの低下につながるという問題がある。また、粗悪な偽造パーツが使用されると印面加工装置が故障する原因になるという問題もあった。そこで、偽造パーツの使用を的確に防止することができるセキュリティシステムを組み込んだ印面の加工方法の開発が必要になってきた。
【先行技術文献】
【特許文献】
【０００５】
【特許文献１】特開２０１２−１５３１０２号公報
【発明の概要】
【発明が解決しようとする課題】
【０００６】
本発明は上記のような問題点を解決して、消費者が印判キットを購入し印面の文字情報等を入力すれば、その場で迅速かつ正確に印面を製作することができ、しかも、この際に偽造パーツが使用されたときは的確に検出して、不正使用の防止を図ることができる印面の加工方法を提供することを目的として完成されたものである。
【課題を解決するための手段】
【０００７】
上記課題を解決するためになされた本発明の印面の加工方法は、印面加工装置により印字体のセットから印面の加工までの一連の工程を行うようにした印字体の印面の加工方法であって、
印面加工装置の記憶装置に書き込まれているメモリ情報を印面加工装置に接続した端末装置に転送するメモリ情報読み込み工程と、
前記印面加工装置内において、前記印字体に予め設けておいた偽造防止用の識別部の真偽の判別を行い、該判別の結果として真信号または偽信号のいずれかを出力するセキュリティチェック工程と、
前記偽信号を前記印面加工装置に接続した端末装置に入力し、端末装置内においてその偽信号の回数の累積値が閾値に達したか否かの判定を行い、累積値が閾値に達した場合は印面加工装置の稼働を停止するように指示し、閾値未満の場合は最終のメモリ情報を印面加工装置の記憶装置に書き込むとともに印面の加工を行うように指示する基準回数の判定工程と、を設けたことを特徴とするものである。
【０００８】
また閾値を２以上に設定したものが好ましく、これを請求項２に係る発明とする。
【０００９】
印面加工装置に対して複数台の端末装置を接続することもでき、これを請求項３に係る発明とする。
【００１０】
また識別部は、近赤外線又は赤外線インキを塗布して形成されており、前記近赤外線又は赤外線インキの有無によって識別部の真偽を判別するようにしたものが好ましく、これを請求項４に係る発明とする。
【発明の効果】
【００１１】
請求項１に係る発明では、印面加工装置により印字体のセットから印面の加工までの一連の工程を行うようにした印字体の印面の加工方法であって、
印面加工装置の記憶装置に書き込まれているメモリ情報を印面加工装置に接続した端末装置に転送するメモリ情報読み込み工程と、
前記印面加工装置内において、前記印字体に予め設けておいた偽造防止用の識別部の真偽の判別を行い、該判別の結果として真信号または偽信号のいずれかを出力するセキュリティチェック工程と、
前記偽信号を前記印面加工装置に接続した端末装置に入力し、端末装置内においてその偽信号の回数の累積値が閾値に達したか否かの判定を行い、累積値が閾値に達した場合は印面加工装置の稼働を停止するように指示し、閾値未満の場合は最終のメモリ情報を印面加工装置の記憶装置に書き込むとともに印面の加工を行うように指示する基準回数の判定工程と、を設けたので、偽造パーツが継続的に使用されている場合を特定して印面加工装置の稼働を強制的に停止させることができ、また、そこで販売されている印判キットやパーツが偽造品の可能性が高いことを突き止めることも容易となる。
【００１２】
請求項２に係る発明では、閾値を２以上に設定したので、不良品が混入等して突発的に偽信号がでた場合などには印面加工装置の稼働停止に至ることがなく、そのまま稼働を継続することができる。
【００１３】
請求項３に係る発明では、印面加工装置に対して複数台の端末装置を接続したので、例えば一つの店舗に納入された印判キットやパーツの全ロットを対象に偽造品のチェックを行えることとなる。
【００１４】
請求項４に係る発明では、識別部は、近赤外線又は赤外線インキを塗布して形成されており、前記近赤外線又は赤外線インキの有無によって識別部の真偽を判別するようにしたので、外観上は識別部の認識が不可能で第三者が模倣することはできず、偽造パーツであるあるか否かの判別を第三者に知られることなく高精度に行うことができる。
【図面の簡単な説明】
【００１５】
【図１】本発明の加工工程の一例を示すフロー図である。
【図２】印面加工装置の全体を示す斜視図である。
【図３】印字体を示す斜視図である。
【図４】印字体を示す分解断面図である。
【発明を実施するための形態】
【００１６】
以下に、図面を参照しつつ本発明の好ましい実施の形態を示す。
図１は、本発明の一例としてサーマルヘッド式の印面加工装置を用いた場合の加工工程の概略を示すフロー図であり、図２は印面加工装置の全体を示す斜視図である。図２において、１はサーマルヘッド式の印面加工装置、２は印面加工装置１に接続されるパーソナルコンピュータ等の端末装置である。３はアタッチメント装着用のトレイ、４は操作手順や進行状況やエラーメッセージ等を表示する表示部、５は印字体６の装着用アタッチメントであり、これらについては後述する。
【００１７】
本発明による印判の加工方法は、一例として印判キットを購入した消費者が店頭において、本人が直接に、あるいは店員指導のもとで端末装置２から印面の文字情報等の必要情報を入力すると、印面加工装置１によって印面が成形され、これをキットの本体部に組み付けて簡単にスタンプを完成させる場合を示す。
ただし、その他にも種々の形態があり、これに限定されないことは勿論である。例えば、客から依頼を受けた店員が本人に代わって全てを操作することもできる。また、前記端末装置２は印面加工装置１の外部に接続した構成となっているが、外観上両者が分離しておらず一体化した装置の場合も、機能的には本発明の装置と同様である。
【００１８】
先ず、印判キットを購入した消費者あるいは店員（以下、ユーザという）は端末装置２により、画面の指示に従って印面の文字や図柄等の情報を入力する。端末装置２の画面には、作成したいスタンプの種類に応じて種々のデザインパターンや配列や文字等が準備されているので、消費者等は使用目的や好みにより任意のものを選択し、また自由にメッセージや住所氏名等を入力することができる。入力した情報は、印面加工データとして端末装置２の記憶装置に保存される。
【００１９】
ユーザにより加工開始の操作が行われると、最初に、印面加工装置１内に保存されている偽判別履歴の情報（メモリ情報）が端末装置２に読み込まれる。（「メモリ情報の読み込み」工程）。次いで、端末装置２の搬送制御手段に制御されて印面加工装置１内に収納されていたトレイ３が排出位置まで搬送され、アタッチメント５の装着部をオープン状態にする。ここで、ユーザは印判キットの中から印字体６を取り出してアタッチメント５の所定位置にセットし、アタッチメント５とともにトレイ３内に装填する。印字体６の装填を示す操作がユーザにより行われて印字体６の装填が確認されると、トレイ３は前記搬送制御手段に制御されて印面加工装置１内の所定位置に再び収納されクローズの状態となる。
【００２０】
前記印字体６は、図３〜図４に示すように、印面が形成される多孔質印材７を樹脂製の枠体８の前端面に密閉接着したものである。また、前記多孔質印材７が密閉接着される枠体８は四角形状であり、また枠体８の断面形状は略Ｌ字型を有する。この略Ｌ字型の幅広端を前端面とし、該前端面の周縁から側壁を垂下させて前記前端面の全周にわたり前記多孔質印材７の周縁部を密閉接着させてある。なお、前記枠体８の形状は四角形状に限らず、その他の多角形状や円形状や楕円形状等、何れでもよい。
【００２１】
次に、前記印面加工装置１内において、印字体に予め設けておいた偽造防止用の識別部の真偽の判別を行い、該判別の結果として真信号または偽信号のいずれかを出力するセキュリティチェック工程を経る。
なお、識別部の真偽の判別はトレイ３が前記搬送制御手段に制御されて印面加工装置１内の所定位置に収納された時点で行われるが、トレイ３の搬送中で行ってもよいことは勿論である。
【００２２】
前記識別部としては、例えば印字体６の目立たない箇所に近赤外線又は赤外線インキを塗布して形成されており、前記近赤外線又は赤外線インキの有無によって識別部の真偽を判別するようにすることができる。具体的には、先端から近赤外線又は赤外線を放射するように設計された近赤外線又は赤外線発光器と、反射される近赤外線又は赤外線放射強度に応答するように設計された近赤外線又は赤外線受光器を組み込んだ近赤外線又は赤外線検出器が用いられる。
【００２３】
その他、微小な無線チップを利用して識別する技術（ＲＦＩＤ）や、紫外線インキを塗布しておいてその有無を識別する技術や、一定の反射光を生ずる特定の突起、あるいは逆に反射光を生じさせない孔部などを利用して識別する技術を利用することもできる。要は、メーカーサイドで純正パーツに予め設けておくことができて、偽造パーツと識別できるものであれば何でもよい。ただし、模倣防止の点から、識別部の認識が表面上からは困難であり第三者に簡単に気づかれないものすることが好ましい。
なお上記したように、前記識別部を枠体８側に形成するだけでなく、識別物質を多孔質印材７中に練り込んでおくことや、前記近赤外線又は赤外線インキを印材表面に塗布することもできる。
【００２４】
次に、判定工程について詳細に説明する。
前記セキュリティチェック工程によって真と判別されたときは、「メモリ情報の読み込み」工程において、最初にメモリ情報として読み込んだ真偽の判別の履歴（偽の累積回数）がそのまま、印面加工装置１内の記憶装置に書き込まれる（「メモリ情報の書き込み」工程）。具体的には、メモリ情報としては識別部が偽りと判別した累積回数を意味しているので、真信号が出力された場合は、偽り回数が加算されることはなく前回と同じ回数が記憶されることとなる。
【００２５】
なお印面加工装置１内へのメモリ情報の書き込みは、端末装置２からの指示により行われる。前記真偽の判別の履歴をメモリ情報として印面加工装置１内の記憶装置に書き込むのは、複数の端末装置２で１台の印面加工装置１を作動させる場合があるため、真偽の判別の履歴は印面加工装置１内で保存するのが好ましいからである。
その後は、端末装置２からの印面加工データに基づき印字体６に所望のサーマル加工処理が施され、次いで、印字体６を印面加工装置１から取り出した後、キットの本体部に組み付けてスタンプが完成する。
【００２６】
一方、前記セキュリティチェック工程によって偽と判別されたときは、端末装置２内において、最初にメモリ情報として読み込んだ真偽の判別の履歴（偽の累積回数）に、今回の偽判別を１プラスした回数（累積値）が閾値に達したか否かの判定を行い、累積値が閾値に達した場合は印面加工装置１の稼働を停止するように指示し、閾値未満の場合は前記印面加工装置１に印面の加工に進むことを指示するという基準回数の判定が行われる。
【００２７】
累積値が閾値に達し、端末装置２から印面加工装置１の稼働を停止するように指示された場合は、直ちに装置停止の出力がされて加工工程が終了する。この場合、印面加工装置１の表示部４にエラーメッセージ等を表示する。
一方、累積値が閾値未満で印面加工装置１に対し印面の加工を行うように指示された場合は、最初にメモリ情報として読み込んだ真偽の判別の履歴（偽の累積回数）に、今回の偽判別を１プラスした回数（累積値）が新たなメモリ情報として印面加工装置１内の記憶装置に書き込まれる（「メモリ情報の書き込み」工程）。その後は、端末装置２からの印面加工データに基づき印字体６に所望のサーマル加工処理が施され、次いで、印字体６を印面加工装置１から取り出した後、キットの本体部に組み付けてスタンプが完成する。
【００２８】
このように本発明は、印面加工装置１内において偽造防止用の識別部の真偽の判別を行うセキュリティチェック工程と、端末装置２内において偽信号の回数の累積値が閾値に達したか否かの判定を行う基準回数の判定工程を経るようにして、偽信号の回数の累積値が閾値に達した場合のみ印面加工装置１の稼働を停止するようにしたので、偽造パーツが連続的に使用された場合は的確に検出できる。
例えば、識別部が偽りと判別してその都度、印面加工装置１の稼働を停止するようにすると、パーツの中に近赤外線又は赤外線インキの塗布ミスがあったような場合も全て停止することとになる。一方、偽造パーツが使用される場合は、１個だけ混入している訳でなく、そのロット全部が偽造品であるため複数個連続して検出される傾向がある。従って、偽りの判別が閾値に達した場合（例えば、５回とか２０回とか、任意に設定）は偽造パーツが使用されていると推定して印面加工装置１の稼働を停止するようにする。また、１回のみの偽りの判別で偽造パーツと特定することは難しいが、複数回カウントすることで販売されている印判キットやパーツが偽造品である可能性が高いとの特定は可能で、偽造パーツの推定を容易に行えるようになる。
【００２９】
なお以上の説明は、前記閾値を２以上として、偽信号の回数が複数回以上の場合に印面加工装置１の稼働を停止するようにした場合につき述べたが、閾値を１とすることも可能であり、この場合は偽信号が判別されると、判定工程を経て印面加工装置１の稼働が停止されることとなる。
【００３０】
また、前記偽りの判別回数の累積値をカウントする方法は、連続的なカウント方法と非連続的なカウント方法の２通りがある。
前記セキュリティチェック工程によって真と判別された場合で、連続的なカウント方法の際は、最初にメモリ情報として読み込んだ真偽の判別の履歴（偽の累積回数）を「０」にリセットしてから、新たなメモリ情報として印面加工装置１内の記憶装置に書き込まれる。一方、前記セキュリティチェック工程によって真と判別された場合で、非連続的なカウント方法の際は、最初にメモリ情報として読み込んだ真偽の判別の履歴（偽の累積回数）が印面加工装置１内の記憶装置にそのまま書き込まれる。
また、前記セキュリティチェック工程によって偽と判別されたときは、カウント方法が連続的、非連続的に係らず、メモリ情報の書き込み工程は既に述べた通りである。
すなわち、累積値が閾値未満の際は、最初にメモリ情報として読み込んだ真偽の判別の履歴（偽の累積回数）に、今回の偽判別を１プラスした回数（累積値）が新たなメモリ情報として印面加工装置１内の記憶装置に書き込まれる。また、累積値が閾値に達した際は、端末装置２から印面加工装置１の稼働を停止するように指示され、直ちに装置停止の出力がされて加工工程が終了する。
【００３１】
なお、以上の説明においては、サーマルヘッド式の印面加工装置を用いて印面の加工を行う場合について述べたが、その他、印面の加工方法としてはキセノンフラッシュランプなどによって赤外線を照射して加工する方法等も用いることができる。
【００３２】
以上の説明からも明らかなように、本発明は印面加工装置により印字体のセットから印面の加工までの一連の工程を行うようにした印字体の印面の加工方法であって、印面加工装置の記憶装置に書き込まれているメモリ情報を印面加工装置に接続した端末装置に転送するメモリ情報読み込み工程と、前記印面加工装置内において、前記印字体に予め設けておいた偽造防止用の識別部の真偽の判別を行い、該判別の結果として真信号または偽信号のいずれかを出力するセキュリティチェック工程と、前記偽信号を前記印面加工装置に接続した端末装置に入力し、端末装置内においてその偽信号の回数の累積値が閾値に達したか否かの判定を行い、累積値が閾値に達した場合は印面加工装置の稼働を停止するように指示し、閾値未満の場合は最終のメモリ情報を印面加工装置の記憶装置に書き込むとともに印面の加工を行うように指示する基準回数の判定工程を設けたので、偽造パーツが使用されたときは的確に検出し、不正使用の防止を図ることができることとなる。また、これにより消費者が印判キットを購入し、印面加工装置を操作して消費者自身が簡単にスタンプを完成させられるという新しいスタンプの供給形態の実現を可能にすることができる。
【符号の説明】
【００３３】
１  印面加工装置
２  端末装置
３  トレイ
４  表示部
５  アタッチメント
６  印字体
７  多孔質印材
８  枠体
【図１】
0006347209.tif 000002
【図２】
0006347209.tif 000003
【図３】
0006347209.tif 000004
【図４】
0006347209.tif 000005